(57)【要約】【課題】独特で美麗な外観を有し、消費者の注意を惹きつけることができる装飾部材を提供する。【解決手段】装飾部材Ａは、万線状の凹凸を有する光反射性金属層１の上に、ＦＭスクリーン印刷により形成された印刷層２が重ねられている。万線状の凹凸パターン３を有する光反射性金属層１に、印刷層２が重なって形成されることで、光反射性金属層１による光の反射方向の変化に起因して現出する意匠模様と、印刷層２による色の変化に起因して現出する意匠模様という、異なる種類の意匠模様が重なり、装飾部材Ａに独特で且つ美麗な外観が付与される。また、ＦＭスクリーン印刷では印刷層２のインクドット８は不規則に配置されるため、光反射性金属層１に印刷層２を重ねて形成しても、光反射性金属層１における万線状の凹凸パターン３と印刷層２における印刷パターンとの間に干渉が生じにくくなり、装飾部材Ａにモアレ模様等の干渉模様が現れにくくなる。【選択図】図１
2010179518.tif 000002
【特許請求の範囲】
【請求項１】
万線状の凹凸パターンを有する光反射性金属層の上に、ＦＭスクリーン印刷により形成された印刷層が重ねられていることを特徴とする装飾部材。
【請求項２】
上記光反射性金属層が、アルミニウムで形成されていることを特徴とする請求項１に記載の装飾部材。
【請求項３】
万線状の凹凸パターンを有する透明性樹脂層の上に、ＦＭスクリーン印刷により形成された印刷層が重ねられていることを特徴とする装飾部材。
【請求項４】
ＦＭスクリーン印刷により形成された印刷層の上に、万線状の凹凸パターンを有する透明性樹脂層が重ねられていることを特徴とする装飾部材。
【発明の詳細な説明】
【技術分野】
【０００１】
本発明は、ラベル、各種包装材等に使用される装飾部材に関する。
【背景技術】
【０００２】
従来、酒瓶等に貼着するラベルや各種包装材等には、種々デザインされた商標や模様等を描くことによって、消費者の購買意欲を引き出そうとしている。
【０００３】
このようなラベルや包装材等に使用される装飾部材としては、例えば基材の表面の金属箔（アルミニウム箔）層に万線方向が異なる万線状凹凸パターン群が複数集合したエンボスパターンを形成したものが挙げられる（特許文献１参照）。このような装飾部材は、見る角度を変化させると万線状凹凸パターン群の濃淡や輝きが動的に変化し、見る者に美麗で高級感のある印象を与える。
【０００４】
しかし、視覚的に作用する様々な表現手法が提供されている昨今では、消費者の注意を惹きつけるためには、更に独特で美麗な外観を有する装飾部材が求められるようになってきている。
【先行技術文献】
【特許文献】
【０００５】
【特許文献１】特開２００６−２５５９１５号公報
【発明の概要】
【発明が解決しようとする課題】
【０００６】
本発明は上記の点に鑑みてなされたものであり、独特で美麗な外観を有し、消費者の注意を惹きつけることができる装飾部材を提供することを目的とする。
【課題を解決するための手段】
【０００７】
第一の発明に係る装飾部材Ａは、万線状の凹凸を有する光反射性金属層１の上に、ＦＭスクリーン印刷により形成された印刷層２が重ねられていることを特徴とする。
【０００８】
このように万線状の凹凸パターン３を有する光反射性金属層１に、印刷層２が重なって形成されることで、光反射性金属層１による光の反射方向の変化に起因して現出する意匠模様と、印刷層２による色の変化に起因して現出する意匠模様という、異なる種類の意匠模様が重なり、装飾部材Ａに独特で且つ美麗な外観が付与される。また、ＦＭスクリーン印刷では印刷層２のインクドット８は不規則に配置されるため、光反射性金属層１に印刷層２を重ねて形成しても、光反射性金属層１における万線状の凹凸パターン３と印刷層２における印刷パターンとの間に干渉が生じにくくなり、装飾部材Ａにモアレ模様等の干渉模様が現れにくくなる。
【０００９】
この発明において、光反射性金属層１はアルミニウムで形成されていることが好ましい。この場合、光反射性金属層１を形成するためのコストを低減しつつ、光反射性金属層１の光反射性が特に優れたものになると共に加工性が良好となって、この光反射性金属層１によって特に美麗な模様が現れるようにすることができる。
【００１０】
第二の発明に係る装飾部材Ａは、万線状の凹凸を有する透明性樹脂層４の上に、ＦＭスクリーン印刷により形成された印刷層２が重ねられていることを特徴とする。
【００１１】
このように万線状の凹凸パターン３を有する透明性樹脂層４に、印刷層２が重なって形成されることで、透明性樹脂層４による光の反射方向の変化や光の屈折の変化に起因して現出する意匠模様と、印刷層２による色の変化に起因して現出する意匠模様という、異なる種類の意匠模様が重なり、装飾部材Ａに独特で且つ美麗な外観が付与される。また、ＦＭスクリーン印刷では印刷層２のインクドット８は不規則に配置されるため、透明性樹脂層４に印刷層２を重ねて形成しても、透明性樹脂層４における万線状の凹凸パターン３と印刷層２における印刷パターンとの間に干渉が生じにくくなり、装飾部材Ａにモアレ模様等の干渉模様が現れにくくなる。
【００１２】
第三の発明に係る装飾部材Ａは、ＦＭスクリーン印刷により形成された印刷層２の上に、万線状の凹凸を有する透明性樹脂層４が重ねられていることを特徴とする。
【００１３】
このように印刷層２に万線状の凹凸パターン３を有する透明性樹脂層４が重なって形成されることで、透明性樹脂層４による光の反射方向の変化や光の屈折の変化に起因して現出する意匠模様と、印刷層２による色の変化に起因して現出する意匠模様という、異なる種類の意匠模様が重なり、装飾部材Ａに独特で且つ美麗な外観が付与される。また、ＦＭスクリーン印刷では印刷層２のインクドット８は不規則に配置されるため、印刷層２に透明性樹脂層４を重ねて形成しても、透明性樹脂層４における万線状の凹凸パターン３と印刷層２における印刷パターンとの間に干渉が生じにくくなり、装飾部材Ａにモアレ模様等の干渉模様が現れにくくなる。
【発明の効果】
【００１４】
本発明によれば、異なる種類の意匠模様が重なった独特で美麗な意匠模様が装飾部材に現れ、しかも意匠模様同士の干渉が生じにくくなり、モアレ模様等の干渉模様が現れにくくなる。このため、意匠模様同士の干渉を考慮することなく、独特で美麗な意匠模様を装飾部材に容易に付与することができるようになる。
【図面の簡単な説明】
【００１５】
【図１】本発明に係る第一の実施形態を示す概略断面図である。
【図２】本発明に係る第二の実施形態を示す概略断面図である。
【図３】本発明に係る第三の実施形態を示す概略断面図である。
【図４】（ａ）はＡＭスクリーン印刷、（ｂ）はＦＭスクリーン印刷における、インクドットの配置の例を示す平面図である。
【図５】（ａ）は万線状凹凸パターンとＡＭスクリーン印刷による印刷層を重ねた状態を示す平面図、（ｂ）万線状凹凸パターンとＦＭスクリーン印刷による印刷層を重ねた状態を示す平面図である。
【発明を実施するための形態】
【００１６】
以下、本発明を実施するための形態について説明する。
【００１７】
図１に第一の実施形態を示す。この実施形態では、装飾部材Ａは下層側から基材５、樹脂層６、光反射性金属層１、印刷層２、保護層７が、順次積層して形成されている。
【００１８】
基材５は例えば適宜のシート状の紙材で形成される。基材５の厚みは例えば５０〜５００μｍの範囲に形成される。
【００１９】
樹脂層６は例えば基材５の表面に樹脂液を塗布成膜することで形成される。この樹脂層６は補強や紙質の調整等のために必要に応じて設けられる。樹脂層６は、例えばポリエチレン樹脂、ポリプロピレン樹脂、塩化ビニル樹脂、エチレン−アクリル共重合樹脂、アクリル樹脂等の適宜の熱可塑性樹脂で形成され、その厚みは例えば５〜３０μｍの範囲に形成される。
【００２０】
樹脂層６を設けない場合の基材５の上面、或いは樹脂層６を設ける場合の樹脂層６の上面に、光反射性金属層１が設けられる。
【００２１】
光反射性金属層１は、光反射性の高い金属材で形成されることが好ましい。金属材としては適宜のものが挙げられるが、光反射性が高く、且つ比較的入手コストの低いアルミニウムが好ましい。
【００２２】
この光反射性金属層１には、万線状の凹凸パターン３が形成されている。この万線状の凹凸パターン３が光反射性金属層１の表面の適宜の位置及び適宜の形状に形成されることで、光反射性金属層１に意匠模様が現出するようになる。また種々の方向の万線状の凹凸パターン３を形成したり、方向の異なる万線状の凹凸パターン３を重ねたりすることで、光の反射特性を部分的に変化させ、見る方向や角度を変化させると見え方が変化するような美麗な意匠模様が現出するようになる。
【００２３】
万線状の凹凸パターン３の高さ（高低差）は特に制限されないが、１０〜３０μｍの範囲が好ましい。またこの凹凸パターン３のピッチ（隣り合う凸条間又は凹条間の間隔）は０．０５〜０．５ｍｍの範囲が好ましく、０．１〜０．２ｍｍの範囲であればさらに好ましい。このような範囲において、光反射性金属層１の表面の濃淡が特に鮮明になると共に特に優れた輝きを発揮し、光反射性金属層１に特に明確で美麗な意匠模様が現出するようになる。
【００２４】
印刷層２は、装飾部材Ａの外観に印刷インクによる意匠模様を形成するために設けられている。このように万線状の凹凸パターン３を有する光反射性金属層１に、印刷層２が重なって形成されることで、光反射性金属層１による光の反射方向の変化に起因して現出する意匠模様と、印刷層２による色の変化に起因して現出する意匠模様という、異なる種類の意匠模様が重なり、装飾部材Ａに独特で且つ美麗な外観が付与される。
【００２５】
この印刷層２を形成するための印刷インクが透明インクであれば、印刷層２を介して光反射性金属層１が透けて見えるようになり、光反射性金属層１による意匠模様が特に明確に現れる。但し、印刷層２を形成するための印刷インクが不透明インクであっても、印刷層２の表面に光反射性金属層１による万線状の凹凸パターン３の形状が浮き上がり、独特な意匠模様が現出する。また、印刷層２を、透明インクと不透明インクとを併用して形成すれば、多様な意匠模様を現出させることができるようになる。
【００２６】
この印刷層２は、ＦＭ（Frequency Modulation）スクリーン印刷により形成されることが重要である。すなわち、印刷層２は図４（ｂ）に示されるように均一なインクドット８の集合で形成されると共に、インクドット８の個数の変調により階調が表現される。
【００２７】
ＦＭスクリーン印刷では印刷層２のインクドット８は不規則に配置されるため、光反射性金属層１に印刷層２を重ねて形成しても、図５（ｂ）に示されるとおり光反射性金属層１における万線状の凹凸パターン３と印刷層２における印刷パターンとの間に干渉が生じにくくなり、装飾部材Ａにモアレ模様等の干渉模様が現れにくくなる。
【００２８】
尚、仮に印刷層２がＡＭ（Amplitude Modulation）スクリーン印刷のように等間隔に並んだインクドット８の大小で階調が表現されている場合（図４（ａ））、印刷層２ではインクドット８が規則性良く並んでしまい、図５（ａ）に示されるように万線状の凹凸パターン３との間で干渉模様が生じやすくなってしまう。
【００２９】
この印刷層２におけるインクドット８の径は１０〜６０μｍの範囲が好ましく、２０〜４０μｍの範囲であれば更に好ましい。この範囲において、装飾部材Ａに現れる印刷模様が特に明りょう且つ微細・美麗なものとなる。
【００３０】
また、保護層７は印刷層２の保護のために必要に応じて設けられる。保護層７は例えばＯＰニス（オーバープリントニス）で形成され、その厚みは例えば１〜１０μｍの範囲に形成される。
【００３１】
このように形成される装飾部材Ａは、上記のとおり光反射性金属層１による意匠模様と印刷層２による意匠模様とが重なった、独特で美麗な意匠模様が現出し、しかもこの意匠模様には光反射性金属層１による意匠模様と印刷層２による意匠模様との干渉模様が発生しにくくなる。
【００３２】
このような装飾部材Ａにおいて、光反射性金属層１を形成する方法としては、例えば基材５、或いは基材５に設けられた樹脂層６の上に、アルミニウム蒸着膜等の金属蒸着膜をホットスタンプにより転写する方法が挙げられる。金属蒸着膜の転写成形に使用される転写箔は、例えばＰＥＴフィルム等からなる基体、シリコン樹脂、メラミン樹脂等からなる離型層、アクリル樹脂、ロジン系樹脂等からなる樹脂層、アルミニウム蒸着膜等の金属蒸着層、エチレン酢酸ビニル共重合体、塩化ビニル等からなる感熱性接着剤層が、順次積層した構成を有する。金属蒸着層は前記樹脂層に対して金属蒸着をおこなうことにより形成され、例えば厚み０．０２〜０．０５μｍに形成される。このような転写箔の感熱性接着剤層を、基材５、或いは基材５に設けられた樹脂層６の上に重ね、転写箔の基体側から金属版で加圧すると共に加熱する。この金属版には、光反射性金属層１の凹凸パターン３と合致する凹凸が形成されている。このようなホットスタンプにより、金属蒸着膜が感熱性接着剤層を介して基材５又は基材５に設けられた樹脂層６に接着されると共に、この金属蒸着膜に金属版の凹凸が転写される。そして、転写箔の基体を離型層ごと樹脂層との界面で剥離すると、基材５上或いは基材５上の樹脂層６の上に金属蒸着膜が残存し、この金属蒸着膜が光反射性金属層１となるのである。
【００３３】
光反射性金属層１の形成方法は、勿論上記の方法には限られない。例えば基体にアルミニウム箔等の金属箔を貼り合わせ、この金属箔に凹凸を有する金属版を押し付けて加圧することで、光反射性金属層１を形成してもよい。また、基体に適宜のアンカー層を形成し、このアンカー層の表面にアルミニウム等の金属を蒸着させ、これにより形成された金属蒸着層に凹凸を有する金属版を押し付けて加圧することで、光反射性金属層１を形成してもよい。
【００３４】
このように形成される装飾部材Ａは、例えば基材５の裏面に感熱接着剤、感圧接着剤、その他適宜の接着剤が塗布されて接着剤層が形成され、この接着剤層を介して瓶等の物品に貼着される。あるいはその他適宜の手法により瓶等の物品に貼着される。これにより、加飾部材Ａをラベルとして使用して、瓶等の物品に装飾をしたり、物品についての情報を表示したりすることができる。
【００３５】
また、装飾部材Ａの用途はラベルには限らず、包装紙や、その他適宜の用途に適用される。
【００３６】
図２に第二の実施形態を示す。この実施形態では、装飾部材Ａは下層側から基材５、反射性金属層１、透明性樹脂層４、印刷層２、保護層７が、順次積層して形成されている。
【００３７】
基材５としては第一の実施形態と同様のものが用いられる。
【００３８】
反射性金属層１は、第一の実施形態と同様に光反射性の高い金属で形成されるが、この反射性金属層１には万線状の凹凸パターンは形成されず、平坦に形成されている。
【００３９】
透明性樹脂層４は、可視光に対して透明或いは半透明な層である。透明性樹脂層４は、例えばアクリル樹脂、ウレタン樹脂、アクリル−スチレン樹脂等の樹脂で形成され、その厚みは例えば１０〜３０μｍに形成される。この透明性樹脂層４には、光反射性金属層１と同様の万線状の凹凸パターン３が形成されている。このため、透明性樹脂層４は光の反射特性や屈折特性が部分的に変化し、見る方向や角度を変化させると見え方が変化するような美麗な意匠模様が現出するようになる。
【００４０】
また、印刷層２は、第一の実施形態と同様に、ＦＭスクリーン印刷で形成される。このように平坦な反射性金属層１の上に、万線状の凹凸パターン３を有する透明性樹脂層４、印刷層２が、順次重なって形成されることで、透明性樹脂層４による光の反射方向や屈折の変化に起因して現出する意匠模様と、印刷層２による色の変化に起因して現出する意匠模様という、異なる種類の意匠模様が重なり、装飾部材Ａに独特で且つ美麗な外観が付与される。また透明性樹脂層４に印刷層２を重ねて形成しても、透明性樹脂層４における万線状の凹凸パターン３と印刷層２における印刷パターンとの間に干渉が生じにくくなり、装飾部材Ａにモアレ模様等の干渉模様が現れにくくなる（図４，５参照）。
【００４１】
保護層７は第一の実施形態の場合と同様に、印刷層２の保護のために必要に応じて設けられる。
【００４２】
このように形成される装飾部材Ａは、透明性樹脂層４による意匠模様と印刷層２による意匠模様とが重なった、独特で美麗な意匠模様が現出し、しかもこの意匠模様には透明性樹脂層４による意匠模様と印刷層２による意匠模様との干渉模様が発生しにくくなる。
【００４３】
また、本実施形態では平坦な反射性金属層１が設けられているので、透明性樹脂層４に形成されている凹凸パターン３が装飾部材の外観に明確に現れ、またこの反射性金属層１の有する光沢によって、より美麗な外観が現れるようになる。
【００４４】
このような装飾部材Ａにおいて、透明性樹脂層４を形成する方法としては、例えば基材５の上に透明な樹脂液を、グラビア印刷、フレキソ印刷、スクリーン印刷等で、万線状の版を用いて塗布した後、硬化成膜する方法が挙げられる。この場合、透明な樹脂液が万線状の模様に印刷塗布されることで、この印刷模様がそのまま万線状の凹凸パターン３となる。透明性樹脂層４を形成するための樹脂液としては適宜の透明な硬化性樹脂組成物が挙げられるが、樹脂液は基材５に塗布した後、できる限り早く固化することが望ましいため、紫外線硬化型アクリル樹脂組成物等の紫外線硬化型樹脂組成物が好ましい。
【００４５】
このように形成される装飾部材Ａは、例えば基材５の裏面に感熱接着剤、感圧接着剤、その他適宜の接着剤が塗布されて接着剤層が形成され、この接着剤層を介して瓶等の物品に貼着される。あるいはその他適宜の手法により瓶等の物品に貼着される。これにより、加飾部材Ａをラベルとして使用して、瓶等の物品に装飾を施すことができる。
【００４６】
また、装飾部材Ａの用途はラベルには限らず、包装紙や、その他適宜の用途に適用される。
【００４７】
図３に第三の実施形態を示す。この実施形態では、装飾部材Ａは下層側から基材５、反射性金属層１、印刷層２、透明性樹脂層４が、順次積層して形成されている。
【００４８】
基材５としては第一の実施形態と同様のものが用いられる。
【００４９】
反射性金属層１は、第一の実施形態と同様に光反射性の高い金属で形成されるが、この反射金属層１には万線状の凹凸パターンは形成されず、平坦に形成されている。
【００５０】
印刷層２は、基材５の上に設けられるものであるが、第一の実施形態と同様に、ＦＭスクリーン印刷で形成される。
【００５１】
透明性樹脂層４は、第二の実施形態と同様の可視光に対して透明或いは半透明な層であり、且つ光反射性金属層１と同様の万線状の凹凸パターン３が形成されている。このため、透明性樹脂層４は光の反射特性や屈折特性が部分的に変化し、見る方向や角度を変化させると見え方が変化するような美麗な意匠模様が現出するようになる。
【００５２】
このように印刷層２に、万線状の凹凸パターン３を有する透明性樹脂層４が重なって形成されることで、透明性樹脂層４による光の反射方向や屈折の変化に起因して現出する意匠模様と、印刷層２による色の変化に起因して現出する意匠模様という、異なる種類の意匠模様が重なり、装飾部材Ａに独特で且つ美麗な外観が付与される。また透明性樹脂層４に印刷層２を重ねて形成しても、透明性樹脂層４における万線状の凹凸パターン３と印刷層２における印刷パターンとの間に干渉が生じにくくなり、装飾部材Ａにモアレ模様等の干渉模様が現れにくくなる（図４，５参照）。
【００５３】
尚、本実施形態では印刷層２が透明性樹脂層４で保護されているので、保護層７は設けられていない。
【００５４】
このように形成される装飾部材Ａは、透明性樹脂層４による意匠模様と印刷層２による意匠模様とが重なった、独特で美麗な意匠模様が現出し、しかもこの意匠模様には透明性樹脂層４による意匠模様と印刷層２による意匠模様との干渉模様が発生しにくくなる。
【００５５】
また、本実施形態では平坦な反射性金属層１が設けられているので、透明性樹脂層４に形成されている凹凸パターン３が装飾部材の外観に明確に現れ、またこの反射性金属層１の有する光沢によって、より美麗な外観が現れるようになる。
【００５６】
このように形成される装飾部材Ａは、例えば基材５の裏面に感熱接着剤、感圧接着剤、その他適宜の接着剤が塗布されて接着剤層が形成され、この接着剤層を介して瓶等の物品に貼着される。あるいはその他適宜の手法により瓶等の物品に貼着される。これにより、加飾部材Ａをラベルとして使用して、瓶等の物品に装飾を施すことができる。
【００５７】
また、装飾部材Ａの用途はラベルには限らず、包装紙や、その他適宜の用途に適用される。
【符号の説明】
【００５８】
Ａ    装飾部材
１    光反射性金属層
２    印刷層
３    凹凸パターン
４    透明性樹脂層
【図１】
2010179518.tif 000003
【図２】
2010179518.tif 000004
【図３】
2010179518.tif 000005
【図４】
2010179518.tif 000006
【図５】
2010179518.tif 000007